(57)【要約】【課題】共通の構成部分をユニット化したユニット型ダウンライトにおいて，交換部品の取り付け等を容易と成すアダプタを提供する。【解決手段】カップ状の反射体２１と光源８取り付け用のソケット２２をフレーム２３に取り付けて形成した基本構成ユニット２０を共通の構成要素とし，該基本構成ユニット２０に少なくとも全長を異にする複数種類の中から選択されたいずれか１の筒状のコーン５０を取り付け可能としたユニット型ダウンライトに使用するソケット３０であり，このソケット３０は，反射体２１の前記凹面前方を包囲する筒状を成し，前記基本構成ユニット２０の前記フレーム２３に着脱自在な一端と，共通の形状に形成された前記コーン５０の一端を係止する取付部３７を内部に備える。【選択図】図１
2008147044.tif 000002
【特許請求の範囲】
【請求項１】
カップ状の反射体と，前記反射体の凹面側に光源の発光部を配置するソケットをフレームに取り付けて形成した基本構成ユニットを共通の構成要素とし，該基本構成ユニットに複数種類の中から選択されたいずれか１の筒状のコーンを取り付け可能としたユニット型ダウンライトに使用され，
前記反射体の前記凹面前方を包囲する筒状を成し，前記基本構成ユニットの前記フレームに着脱自在な一端と，共通の形状に形成された前記コーンの一端を係止する取付部を備えたユニット型ダウンライトのアダプタ。
【請求項２】
前記取付部が，前記コーンの一端内に挿入されて前記コーンの一端側における内周面を覆う凸条を備えることを特徴とする請求項１記載のユニット型ダウンライトのアダプタ。
【請求項３】
前記筒状外から前記凸条に向かって形成されたネジ孔と，該ネジ孔に螺合されて前記凸条に向かって突出するボルトを設けたことを特徴とする請求項２記載のユニット型ダウンライトのアダプタ。
【請求項４】
前記コーンが少なくとも全長の異なる複数種類より選択可能であると共に，前記コーンの他端を係止する取付部と，前記アダプタの前記基本構成ユニットに対する取り付け側とは反対側の端部を係止する係止部が所定の位置関係で内部に設けられた筒状の取付具を備えた前記ユニット型ダウンライトに使用され，
前記基本構成ユニットとの連結側とは反対側の端部を延長する延長構造を備えた請求項１〜３いずれか１項記載のユニット型ダウンライトのアダプタ。
【請求項５】
前記基本構成ユニットに対する連結部と前記コーンの取付部を備えたベースアダプタと，前記ベースアダプタの前記基本構成ユニットとの連結側とは反対側の端部に連結される延長アダプタによって構成される，請求項４記載のユニット型ダウンライトのアダプタ。
【請求項６】
前記延長アダプタにさらに別の延長アダプタを連結可能である請求項５記載のユニット型ダウンライトのアダプタ。
【請求項７】
筒状内部を部分的に狭めて形成された段部をレンズの取付部として設けると共に，前記段部に対して前記フレームに対する取付け側の端部とは反対側の端部寄りに，前記コーンの取付部を設けたことを特徴とする請求項１〜６いずれか１項記載のユニット型ダウンライトのアダプタ。
【請求項８】
筒状内部に向かって付勢された弾性体を複数箇所に設け，該弾性体間でスクリーン及び又はルーバの外周を挟持可能としたことを特徴とする請求項１〜７いずれか１項記載のユニット型ダウンライトのアダプタ。
【請求項９】
前記レンズ取付部と前記コーンの取付部間において筒状部分の内外周間を貫通する通気孔を設けたことを特徴とする請求項１〜８いずれか１項記載のユニット型ダウンライトのアダプタ。
【発明の詳細な説明】
【技術分野】
【０００１】
本発明は，建築化照明としてのユニット型ダウンライトのアダプタに関し，より詳細には，共通する主要構成部品を基本構成ユニットとして共用化し，この基本構成ユニットに組み合わせる構成部品を変更することによりカットオフ角度，演色性，光の拡散又は集束状態等が異なるダウンライトを容易に得られるように構成したユニット型のダウンライトに用いる，前記基本構成ユニットに部品等を取り付けるためのアダプタに関する。
【背景技術】
【０００２】
従来の一般的なダウンライトの構成は，一例として図８に示すように下向きに開放したカップ状のカバー９０内に，同様に下向きに開放するカップ状の反射体２１を収容し，この反射体２１内に，ここでは電球であるが，ハロゲン球等の各種ランプから成る光源を配置することで，ランプ８が発した光を反射体２１によって反射させて所定の方向に光を照射することができるように構成されており，天井等に形成した取付孔７内に前記カバー９０を挿入して，このカバー９０の開孔側端縁に形成されたフランジ状の枠体９１を天井等に形成された開孔縁に当接させた状態で取り付けることで，ダウンライトを天井等に埋め込まれた状態で取り付けることができるように構成している（特許文献１の図１）。
【０００３】
また，このようにダウンライトに設けたカバーを天井等に形成した取付孔内に直接取り付けることなく，ダウンライトの本体とは別体として構成した取付具を天井に設けた取付孔内に予め取り付けておき，この取付具に，反射体や光源をカバー内に収容して構成したダウンライト本体を着脱可能としたダウンライトも提案されている（特許文献２）。
【０００４】
この発明の先行技術文献情報としては次のものがある。
【特許文献１】特開２００３−  ４５２０５号公報
【特許文献２】特開２００５−２７６７０３号公報
【発明の開示】
【発明が解決しようとする課題】
【０００５】
ところで，天井等に取り付けて使用する前述のダウンライトは，単に明るさを得るための照明器具として使用されるのみならず，このダウンライトによって照らし出される場の雰囲気を演出する目的で使用される場合や，展示物等を際立たせるためのディスプレイ用の照明器具等として使用される場合も多い。
【０００６】
そして，ダウンライトをこのような目的で使用する場合には，展示物や演出しようとする雰囲気等にあわせてダウンライトより照射される光の広がり角度，光の向き，光の拡散又は集束状態，光色等を選択できることが求められる。
【０００７】
しかし，前述した従来のダウンライトでは，例えば光の照射範囲外となる角度θ（以下，この角度θを「カットオフ角度」という。）の変更には，反射体２１内におけるランプ８の配置位置を変更するか，又は，反射体２１の形状やサイズを変更する必要があり，いずれの場合においてもダウンライトの構造を大幅に変更する必要が生じる。
【０００８】
そのため，従来のダウンライトでは，このようなカットオフ角度θの異なるダウンライトは，それぞれ別個の製品として製造されていた。
【０００９】
また，このようなダウンライトに，反射体２１の開口部前方を覆うレンズやスクリーン，ルーバ等を設けようとする場合，前述のようにカットオフ角度の相違に伴って反射体２１の形状やサイズ，特に開口部分のサイズが各製品毎に異なるものとなれば，レンズやスクリーン，ルーバ等についても各製品のサイズに対応したものとして製造する必要があり，このような部品についても共用化もできない。
【００１０】
このように，カットオフ角度の違いにより，それぞれのカットオフ角度を持つダウンライトや交換部品を別個に製造等する場合には，各製品毎に製造設備や製造ラインを設ける必要がある等，多大な設備投資が必要となり，これが製品の価格に反映されることとなる。
【００１１】
また，既に設置されているダウンライトのカットオフ角度を変更しようとする場合，既存のダウンライト全体を取り外し，これに代えて新たに用意したカットオフ角度の異なるダウンライトを取り付ける必要がある等，ダウンライト自体の交換が必要となり，また，このようなダウンライトの交換に伴い，電気配線工事等が必要となったり，また，交換するダウンライトのサイズに変更が生じれば，天井等に形成する取付孔７の径を拡張したり，又は，別途新たな孔を設ける作業が必要となる等，交換，取り付け作業が大掛かりとなる。
【００１２】
なお，従来技術として説明した，ダウンライト本体と取付具とを別体として構成したダウンライト（特許文献２参照）にあっては，例えばダウンライト本体の形状等に変更がなければ，本体のみを交換することにより取付具を共有してその交換は不要であるが，前述のように，カットオフ角度の変更は，ダウンライト本体の構造の大幅な変更を伴うものであるために，これによってダウンライト本体の形状やサイズが変化すれば，既に取り付けられている取付具を流用することはできず，取付具の交換が必要となり，また，取付具の交換に対応して，取付孔の形成作業や電気配線作業等が必要となる。
【００１３】
以上の問題点に鑑み，本発明の発明者はカップ状の反射体の形状や，該反射体と光源との位置関係を固定した場合であっても，前記反射体の前方を筒状のコーンによって覆うと共に，このコーンの長さを変化させることで前述のカットオフ角度θを変化させることができることを見出し，前記反射体と該反射体の凹面側に光源の発光部を配置するソケットをフレームに取り付けて構成した基本構成ユニットを共通の構成要素とし，該基本構成ユニットに全長の異にする複数種類から選択された筒状のコーンを取り付け可能としたユニット型のダウンライトを発明したことに伴い，このようなユニット型ダウンライトにおいて前記基本構成ユニットに対するコーン等の部品の取付け，交換等を容易と成すアダプタを提供することを目的とする。
【課題を解決するための手段】
【００１４】
上記目的を達成するために，本発明のユニット型ダウンライトのアダプタは，カップ状の反射体２１と，前記反射体２１の凹面側に光源８の発光部８１を配置するソケット２２をフレーム２３に取り付けて形成した基本構成ユニット２０を共通の構成要素とし，該基本構成ユニット２０に全長，色等の要素の異なる複数種類の中から選択されたいずれか１の筒状のコーン５０を取り付け可能としたユニット型ダウンライトに使用するものであり，
前記反射体２１の前記凹面前方を包囲する筒状を成し，前記基本構成ユニット２０の前記フレーム２３に着脱自在な一端と，共通の形状に形成された前記コーン５０の一端を係止する取付部３７を備えたことを特徴とする（請求項１）。
【００１５】
ここで，筒状には円筒のみならず角筒を含む。
【００１６】
前記構成のアダプタ３０において，前記取付部３７には，前記コーン５０の一端内に挿入されて前記コーン５０の一端側における内周面を覆う凸条４２を設けることができる（請求項２）。
【００１７】
前記構成のアダプタ３０において，前記筒状外から前記凸条４２に向かって形成されたネジ孔と，該ネジ孔に螺合されて前記凸条４２に向かって突出するボルト３８を設けた構成とすることができる（請求項３）。
【００１８】
さらに，本発明のアダプタ３０を，前記コーン５０として少なくとも全長の異なる複数種類より選択可能であると共に，前記コーン５０の他端を係止する係止部（実施形態において段部６３）と，前記アダプタ３０の前記基本構成ユニット２０に対する取り付け側とは反対側の端部を係止する係止部６７が所定の位置関係で内部に設けた筒状の取付具６を備えたユニット型ダウンライトに使用する場合には，本発明のアダプタ３０には前記基本構成ユニット２０との連結側とは反対側の端部を延長する延長構造を設けることが好ましい（請求項４）。
【００１９】
このように延長構造を設けた前記アダプタ３０としては，前記基本構成ユニット２０に対する連結部と前記コーン５０の取付部３７を備えたベースアダプタ３１と，前記ベースアダプタ３１の前記基本構成ユニットとの連結側とは反対側の端部に連結される延長アダプタ３２によって構成することができ（請求項５），前記延長アダプタ３２の着脱によって全長を可変としても良い。
【００２０】
この場合において，前記延長アダプタ３２にさらに別の延長アダプタ３２を連結可能に構成しても良い（請求項６）。
【００２１】
さらに，前記アダプタ３０の構成として筒状内部を部分的に狭めて形成された段部３４をレンズ取付部として設けると共に，この段部３４に対して前記フレームに対する取付け側の端部とは反対側の端部寄りに，前記コーンの取付部３７を設ける構成としても良く（請求項７），また，筒状内部に向かって付勢された弾性体を複数箇所に設け，該弾性体（板バネ３６）間でスクリーン及び又はルーバの外周を挟持可能としても良い（請求項８）。
【００２２】
なお，前述構成において，レンズ取付部（段部３４）とコーンの取付部３７間において，筒状部分の肉厚を貫通する通気孔（吸気ダクト３１ａ）を設けても良い（請求項９）。
【発明の効果】
【００２３】
以上説明した本発明の構成から，本発明のユニット型ダウンライト１のアダプタによれば，以下の顕著な効果を得ることができる。
【００２４】
基本構成ユニット２０のフレーム２３に着脱自在な一端と，共通の形状に形成された前記コーン５０の一端を係止する取付部３７を備えたことにより，該アダプタ３０を介して基本構成ユニット２０に対して選択されたコーン５０の着脱が容易であると共に，いずれのコーン５０を取り付ける場合であっても，共通のアダプタ３０の使用が可能である。
【００２５】
また，前記取付部３７に前記コーン５０の一端側における内周面を覆う凸条４２を設ける場合には，照射光に不快な眩しさを与えたり，照射光の美観を損なわせる原因となる，コーン５０一端内周における光の乱反射を防止することができた。
【００２６】
筒状外から前記凸条４２に向かって形成されたネジ孔と，該ネジ孔に螺合されて前記凸条４２に向かって突出するボルト３８を設けた構成にあっては，ボルト３８を締め付けるのみで，ボルト３８の先端をコーン５０の先端外周に突合させることで容易に取り付け可能である。
【００２７】
さらに，基本構成ユニット２０との連結側とは反対側の端部を延長する延長構造を設けたアダプタ３０にあっては，アダプタ３０の全長を調整することで，基本構成ユニット２０との連結側とは反対側の端部におけるコーン５０の突出長さを，選択したコーン５０の全長に変わりなく常に一定にすることができ，前記コーン５０の他端を係止する係止部（実施形態において段部６３）と，前記アダプタ３０の前記基本構成ユニット２０に対する取り付け側とは反対側の端部を係止する係止部６７を内部にそれぞれ所定間隔で設けた筒状の取付具６を備えたユニット型ダウンライトに使用する場合には，この取付具６として，選択したコーン５０の長さに関係なく共通のものを使用することができた。
【００２８】
このようなアダプタ３０を，ベースアダプタ３１と，前記ベースアダプタ３１の前記基本構成ユニットとの連結側とは反対側の端部に連結される延長アダプタ３２によって構成する場合には，前記延長アダプタ３２の着脱によって簡単に全長を可変とすることができ，前記延長アダプタ３２にさらに別の延長アダプタ３２を連結可能に構成した場合には，延長アダプタの取り付け個数を変更することにより，全長を複数段階で容易に変更することができ，選択し得るコーン５０の全長を拡げることができた。
【００２９】
さらに，前記アダプタ３０の構成として筒状内部を部分的に狭めて形成した段部３４をレンズ取付部とすることで，また，板バネ３６等の弾性体を設けることで，アダプタ３０を介して基本構成ユニット２０に対してコーン５０以外の交換部品の取り付けが容易となった。
【００３０】
なお，このレンズ取付部（段部３４）の形成位置と前記コーン５０の取付部３７間に筒状部分の肉厚を貫通する通気孔（吸気ダクト３１ａ）を設ける場合には，コーン５０内と連通する室内空間内の比較的冷たい空気が，前記通気孔を介してダウンライトの取り付けが行われている天井等の壁面の裏側に導入され，これにより比較的発熱しやすい光源等を備えた基本構成ユニットを冷却することができた。
【発明を実施するための最良の形態】
【００３１】
次に，本発明の実施形態について添付図面を参照しながら以下に説明する。
【００３２】
なお，以下の説明において本発明のアダプタ３０の理解を容易とするために本発明のアダプタ３０が使用されるユニット型ダウンライト１の全体構成を示しつつ，その説明中において本発明のアダプタ３０を説明する。
【００３３】
図１は，本発明のアダプタを備えたユニット型ダウンライト１の一構成例を示し，このダウンライト１は，所定のカットオフ角度θで，所定の色，拡散・集束状態等に調整された光を照射するダウンライト本体２と，このダウンライト本体２を，ここでは，一例として，天井等に形成した取付孔７内に取り付けるための取付具６を備えている。
【００３４】
〔ダウンライト本体〕
前述のダウンライト本体２は，図２に示すようにダウンライト本体２の主要構成部分を成す基本構成ユニット２０と，この基本構成ユニット２０に取り付けられるコーン５０や，レンズ４０及び／又はフィルタ等の交換部品，並びに前記基本構成ユニット２０に対して前記交換部品を取り付けるための，本発明のアダプタ３０を備えている。
【００３５】
基本構成ユニット
前述の基本構成ユニット２０は，ダウンライト本体２の主要構成要素のうち，後述するレンズ４０，コーン５０，フィルタやルーバ等の交換部品の交換によりカットオフ角度θや光の色，光の拡散・集束状態等が異なるダウンライト１間において共通化することのできる構成要素をユニット化したものであり，本実施形態においてこの基本構成ユニット２０は，反射体２１，ソケット２２，及び前記ソケット２２に取り付けられるランプ８，並びに前記反射体２１とソケット２２とを所定の位置関係で取り付けるフレーム２３を備え，前記フレーム２３に前記各構成部品を取り付けて一体的なユニットとして形成されている。
【００３６】
前述のフレーム２３は，図２に示す実施形態において内部に前述のソケット２２を収容するための室が形成された，ここでは，略円筒状のソケット収容部２３１と，このソケット２２に対するランプ８の取り付け側に設けられた反射体収容部２３３と，前記反射体収容部２３３と前記ソケット収容部２３１間を連結するリブ状部２３２により構成され，前記ソケット２２に対してランプ８を装着すると，このランプ８が反射体２１の中央部分に形成されたランプ挿入口２１ａを貫通して，その発光部８１が反射体２１の凹面側に配置されるように構成されている。
【００３７】
前述の反射体２１の凹面は，例えばクロムメッキ等によって鏡面状に仕上げられており，ランプ８の発光部８１より発せられた光は，反射体２１の凹面表面で反射され，この反射体２１の形状，ランプ８の発光部の配置位置等によって特定される所定の方向に照射される。
【００３８】
なお，従来技術として説明したダウンライトでは，このダウンライトのカットオフ角度θを変更するためには，反射体の交換等，本発明のダウンライト１における基本構成ユニット２０が備える構成要素の変更が必要となっていたが，本発明のダウンライト１にあっては，この反射体２１とは別に後述するコーン５０を設けたことにより，コーン５０の変更のみによって基本構成ユニット２０の構造を変更することなくカットオフ角度θの変更が可能となり，その結果，このような反射体２１を備えた基本構成ユニット２０の共通化が可能となっている。
【００３９】
図示の実施形態において，前述の反射体収容部２３３は，ここでは，略円筒状を成し，この円筒状の反射体収容部２３３の前記ソケット収容部に対する連結側の端部周縁を内周方向に向かってフランジ状に突設して，その中央に前記反射体２１を挿入する反射体挿入孔２３３ａを形成し，この反射体挿入孔２３３ａ内に反射体２１の凸面が前述のソケット収容部２３１側に向かって膨出するように挿入されている。
【００４０】
このようにしてソケット収容部２３１側に向かって膨出するように反射体挿入孔２３３ａ内に挿入された反射体２１の前記ランプ挿入口２１ａ内周は，ソケット収容部２３１に取り付けられた係止具２３１ａによって係止されてフレーム２３の所定の位置に固定されている。
【００４１】
前記リブ状部２３２を介して前記反射体収容部２３３と連結された前述のソケット収容部２３１は，内部を中空としこのソケット収容部２３１内にランプを取り付けるための，ここでは，有底円筒状を成すソケット２２が，開口側を前述の反射体２１のランプ挿入口２１ａに向けて収容されている。
【００４２】
このソケット収容部２３１の外周には，前記ソケット収容部２３１の長さ方向を長さ方向とした薄板が円周方向に多数取り付けられており，この薄板によって前記ソケット収容部２３１を介してランプ８の点灯により発生した熱を放出する空冷フィン２３１ｂが形成されている。
【００４３】
このようにしてフレーム２３のソケット収容部２３１内に収容されたソケット２２に取り付けられるランプ８の先端には，図１及び図２に示すように防眩キャップ（ランプシールド）２４を被せても良く，このような防眩キャップ２４によってランプ８の先端部分を覆うことにより，光源であるランプ８が直接視界に入ることを防止して眩しさを低減すると共に，ランプから直接前方に放出される光をカットし，反射体２１によって制御された光のみが放出されるようにすることができる。    
【００４４】
図示の実施形態にあっては，このような防眩キャップ２４を，反射体２１の前記ランプ挿入口２１ａ内周を係止する係止具２３１ａに一端を固着された支持棒２５の他端に取り付けて，ランプ８の先端部分を覆うことができるようにしているが，この防眩キャップ２４の取り付けは，この方法に限定されず，他の方法により取り付けることも可能であり，また，防眩キャップ２４は必ずしも設けなくても良い。
【００４５】
フレーム２３に設けた前述の反射体収容部２３３には，前述のソケット収容部２３１の連結側とは反対側の端部に，後述するアダプタ３０を取り付け可能に構成されている。
【００４６】
このようにアダプタ３０を取り付け可能とする構成については，後述するアダプタ３０を前述の反射体収容部２３３に対して取り付け可能なものであれば如何なる構成を採用しても良く，図示の実施形態には限定されないが，本実施形態にあっては一例として図１及び図２に示すように，フレーム２３の反射体収容部２３３に設けた２枚の板バネ２６，２６間でアダプタ３０の外周部分を挟持して，反射体収容部２３３に後述のアダプタ３０を着脱可能に取り付けている。
【００４７】
なお，前記板バネ２６，２６の先端部分には，図２に示すようにこの板バネを折り曲げて形成した係止爪２６ａが形成されており，この係止爪２６ａが後述するアダプタ３０外周に形成された係止溝３３内に嵌合されてアダプタ３０の脱落が防止されている。
【００４８】
また，図２を参照して説明した実施形態にあっては，後述するアダプタ３０を外周側より挟持して固定するものであったが，図７（Ａ）〜（Ｃ）に示すように反射体収容部２３３内に設けた係止部材４４と，アダプタ３０の連結側端部に設けた係止部材４５との噛合によって両者間の連結を行うことができるように構成しても良く，図示の例ではアダプタ３０の連結側端部を反射体収容部２３３内に挿入可能に構成すると共に，この挿入部分におけるアダプタ３０の開口縁の一部分より内周方向に突出する舌片４５ａを備えたアダプタ側の前記係止部材４５を設けると共に，反射体収容部２３３の端部開口内に，開口部内周に対して所定の間隔を介して配置された係止片４４ａを持つ反射体収容部２３３側の係止部材４４を設け，両係止部材４４，４５が図７（Ａ）に示す位置となるように，アダプタ５０の端部を反射体収容部２３３の端部開口内に挿入した後，両係止部材４４，４５が図７（Ｂ），図７（Ｃ）に示す状態に噛合する位置となるようにフレーム２３とアダプタ３０とを相対的に逆方向に回転させることにより，フレームに対するアダプタの取り付けを可能としても良い。
【００４９】
この場合，反射体収容部の前記係止部材の取り付け位置には，図７（Ａ），図７（Ｂ）中に符号４６で示す凸部を設け，一旦両係止部材４４，４５が噛合する位置となった後にはアダプタ３０側の係止部材４５がこの段部に係止されて，両係止部材４４，４５の係止が解除される方向に前記フレーム２３とアダプタ３０との相対的に逆方向の回転が規制されるようにしても良い。
【００５０】
アダプタ
前述のように形成された基本構成ユニット２０の前記反射体収容部２３３には，本発明のアダプタ３０が取り付けられ，このアダプタ３０を介して基本構成ユニット２０にコーン５０，その他の交換用部品を取付け可能としている。この反射体収容部２３３に取り付けられるアダプタ３０はその全長が可変に構成されており，このように全長を可変とすることで，基本構成ユニット２０に対して取り付けるコーン５０の長さに拘わらず，このアダプタ３０の一端より突出するコーン５０の長さが一定となるように調整可能となっている。
【００５１】
図１〜図３に示す実施形態にあっては，このアダプタ３０が，少なくとも前記基本構成ユニット２０に対してコーン５０やレンズ４０，フィルタ，ルーバ等の交換部品を取り付けるためのベースアダプタ３１を備え，前記ベースアダプタ３１に取り付けるコーン５０の長さに対応して，必要に応じて前記ベースアダプタ３１に延長アダプタ３２を取り付けることで，その全長が可変に構成されている。
【００５２】
図１，図２及び図４に示す実施形態では，前述のアダプタ３０をこのような延長アダプタ３２を取り付けることなく，ベースアダプタ３１のみによって構成した例であり，図３に示す実施形態では，前記ベースアダプタ３１に延長アダプタ３２を取り付けて前述のアダプタ３０を構成した例である。
【００５３】
前記基本構成ユニット２０に後述するコーン５０やレンズ４０，フィルタ等の交換部品を取り付けるための前記ベースアダプタ３１は，前述の基本構成ユニット２０に設けた反射体収容部２３３に取り付けられて，この反射体収容部２３３に形成された円筒部を延長して前記反射体２１の凹面前方を包囲するように，前記各部材に対応して，ここでは，略円筒状に形成されている。
【００５４】
図２に示す実施形態にあっては，このベースアダプタ３１を，前述のフレーム２３の反射体収容部２３３である，ここでは，その円筒部分に対応してこれと略同径の円筒状に形成すると共に，前記反射体収容部２３３との連結側端部を，前記反射体収容部２３３の内径に対して僅かに小径に形成して，この小径部を前記反射体収容部２３３内に印籠継ぎの状態に挿入可能に構成すると共に，このような挿入状態において前記板バネ２６の先端に設けた前述の係止爪２６ａをベースアダプタ３１の外周に形成した係止溝３３に嵌合させてベースアダプタ３１の固定を行っている。
【００５５】
もっとも，前記反射体収容部２３３とベースアダプタ３１との連結は，上記の例に限定されず，図７を参照して説明した方法により連結しても良く，その他如何なる方法で連結しても良い。
【００５６】
このベースアダプタ３１は，その内周に後述するレンズ４０やフィルタ，ルーバ等を取り付けるための取付構造を備えており，本実施形態にあってはベースアダプタ３１の内径を狭めることによりベースアダプタ３１の内周に段部３４を形成し，この段部３４に前記レンズ４０を嵌合して取り付け可能としており，図示の例ではこの段部３４に後述するレンズ４０の周縁部分を載置すると共に，前記段部３４との間でレンズの周縁部を挟持する押え板３５，３５’を設けることにより，ベースアダプタ３１内の所定の位置にレンズ４０の取り付けを行うことができるように構成した。
【００５７】
なお，ベースアダプタ３１にレンズ４０等を取り付けるための構成は，図示の構成に限定されず，前述したレンズ４０等をベースアダプタ３１に取り付け可能な構成であれば各種の構成を採用することができる。
【００５８】
なお，図１〜図３及び図４において符号３６は，ベースアダプタ３１の円筒内部方向に付勢された弾性手段である板バネであり，ベースアダプタ３１内にフィルタやルーバ等を取り付けるための固定具として機能し，この板バネ３６を複数箇所，一例として図示の実施形態にあっては円周方向に３箇所，等間隔に設け，この板バネ３６によって囲まれた空間内にカラーフィルタやコンバージョンフィルタ等のフィルタ，ハニカムルーバ，その他のルーバ等を挿入して，フィルタやルーバの外周を複数の板バネ３６間に挟持して取り付けるものである。
【００５９】
このように，本発明のアダプタ３０を備えたダウンライトでは，後述するコーン５０に対してレンズや各種フィルタやルーバ等を取り付けることなく，ベースアダプタ３１に対して取り付け可能としたことで，コーン５０の構成を比較的単純なものとすることができると共に，コーン５０のサイズが変更されても規格の共通する交換部品の使用が可能である。
【００６０】
このようにして，レンズ４０や各種フィルタ，ルーバ等が取り付けられたベースアダプタ３１を，前述の基本構成ユニット２０に取り付けることで，前述の反射体２１の凹面前面がベースアダプタ３１に取り付けられたレンズ４０やフィルタ，ルーバ等によって覆われると共に，反射体２１とレンズ４０，フィルタ，ルーバ間の空間外周が円筒状のベースアダプタ３１によって包囲される。
【００６１】
このベースアダプタ３１には，更に後述するコーン５０を取り付け可能に構成されており，図示の実施形態にあっては，前記レンズ４０の取付部と成る前述の段部３４と，前記基本構成ユニット２０に対する取り付け側とは反対側の端部間における所定の位置にコーン取付部３７が形成されている（図３参照）。
【００６２】
このコーン取付部３７は，後述するコーン５０の細径側端部をベースアダプタ３１に取り付け可能とするものであれば如何なる構成であっても良いが，図１〜図６に示す実施形態にあっては，このコーン取付部３７に下方に向かって突出する凸条４２を周方向に連続した筒状に形成し，この凸条４２を，後述するコーン５０の細径側端部内に挿入可能と成すと共に，この凸条４２とベースアダプタ３１の円筒部分間で，後述するコーン５０の細径側端部に設けられた係合曲折部５１を収容する凹部３１２を形成し，該凹部３１２に向かって前記ベースアダプタ３１の円筒部肉厚を貫通する螺子孔を形成し，この螺子孔にベースアダプタ３１の外周側から内周側に向かってボルト３８を螺合して，このボルト３８の先端を前記コーン５０の細径側端部に形成した係合折曲部５１に突合させることで，コーン５０の折曲部５１をベースアダプタ３１内の所定の位置に取り付けている。
【００６３】
コーン５０の細径側端部には，前述したように外周を反中心方向外方に屈曲した係合屈曲部５１が形成されているために，この部分に光源からの光が当たると乱反射して，照明器具より照射される照射光に不快さを感じさせ，又は照射光の美観を損ねる成分が含まれることとなるが，前述したように凸条４２によってコーン５０の細径側端部内周を覆って係合屈曲部５１部分を光源８より遮蔽することで，係合屈曲部５１で生じる光の乱反射を防止することができるものとなっている。
【００６４】
さらに，前記ベースアダプタ３１の基本構成ユニット２０との連結側とは反対側の大径側端部には，このベースアダプタ３１を延長して，前記コーン取付部３７に取り付けられたコーン５０外周を包囲する，このコーン５０およびベースアダプタ３１に対応して円筒状の，延長アダプタ３２を取り付けることができるように構成されている（図３参照）。
【００６５】
この，ベースアダプタ３１に対する延長アダプタ３２の取り付け構造は，両者を着脱可能に連結するものであれば如何なる構成としても良いが，一例として図３に示す実施形態にあっては，前述のベースアダプタ３１の前記基本構成ユニット２０との連結側とは反対側の端部寄りに位置する底縁３１１端に，円周方向に所定間隔で開孔３９を形成し，前記延長アダプタ３２の前記ベースアダプタ３１との連結側端部に，前記ベースアダプタ３１内に挿入可能な小径部を形状し，この小径部の外周に，外周方向に突出する係合片３２ａを設け，前記ベースアダプタ３１内に延長アダプタ３２の小径部を挿入すると共に，前記係合片３２ａを前記開孔３９内に嵌合させることにより，ベースアダプタ３１に対して延長アダプタ３２を取り付けることができるように構成されている。
【００６６】
なお，この延長アダプタ３２の前記ベースアダプタ３１との連結側とは反対側の端部には，この延長アダプタ３２に更に別の延長アダプタ３２を連結することができるように，前記ベースアダプタ３１に設けたと同様の開孔３９を設けても良い（図６参照）。
【００６７】
なお，図２及び図３において，符号３１ａは前述のベースアダプタ３１に設けた吸気ダクトであり，図示の例ではベースアダプタ３１に対するレンズ４０の取り付け位置と前記コーン取付部３７間に，前記ベースアダプタ３１の肉厚を貫通するスリットを設けてこれを前述の吸気ダクト３１ａとした。
【００６８】
このように前述の位置にベースアダプタ３１の肉厚を貫通する吸気ダクト３１ａを設けることにより，本発明のダウンライト１を天井等に形成した取付孔７内に取り付けた際に，室内側の冷たい空気をこの吸気ダクト３１ａを介して壁面の裏側（天井裏側）に冷却風として導入することができ，この冷却風の導入によって壁面の裏側においてダウンライト１を冷却することができるように構成した。
【００６９】
レンズ，フィルタ及びルーバ
前述のベースアダプタ３１を介して前記基本構成ユニット２０に取り付けられる前述のレンズ４０やフィルタ，ルーバは，前記ベースアダプタ３１に取り付けられることにより反射体２１の前面を覆い，反射体２１を介して反射されたランプ８の光に対して所定の作用を及ぼすもので，このようなレンズ４０の一例として，光を拡散させ，柔らかな光を作り出すためのディフュージョンレンズ（拡散レンズ），光のピントを合わせて光の輪郭を調節するフォーカシングレンズ（ピント合わせレンズ），光を屈折させ，楕円配光を照射するスプレッドレンズ等から用途に応じたレンズを選択することが可能である。
【００７０】
また，これらのレンズ４０に代えて，又はこれらのレンズ４０と共に，前記レンズ取付部である段部３４や前記フィルタやルーバの取付部を成す板バネ３６に，六角柱（蜂の巣模様）に組んだ部品で，照明機器から光源が直接視界に入らないようにする部品であるハニカムルーバやその他のルーバ，光に色を付ける着色透明シートであるカラーフィルタ，光源の光色（色温度）を変えるコンバージョンフィルタ等のフィルタを選択して取り付けることもでき，選択するレンズ４０やフィルタ，ルーバ，又はこれらの組合せによって，基本構成ユニット２０を共通とするダウンライトであっても照射される光の色や拡散状態等を異なるものとして組み立てることが可能となる。
【００７１】
なお，これらのレンズ４０やフィルタ，ルーバは，前述した段部３４や板バネ３６にいずれをも選択して取り付けることができるように，そのサイズを共通化しておくことが好ましく，本発明のダウンライトにあっては，後述するコーン５０の細径側端部すなわち折曲部における形状及び大きさを同形，同大として共通化したこと，前記基本構成ユニット２０の共通化，及び延長アダプタ３２の取付によりアダプタ３０の全長が可変とされていることから，ベースアダプタ３１を選択するコーン５０の長さ等に拘わらず共通とすることができることから，このベースアダプタ３１に対して取り付ける前記レンズ，フィルタ，ルーバ等についてもカットオフ角度θの変更に拘わらず共用することが可能である。
【００７２】
コーン
前述のようにして，アダプタ３０を介して基本構成ユニット２０に取り付けられるコーン５０は，ここでは，略円筒状を成し，基本構成ユニット２０より照射された光をその内周面において反射又は吸収して，カットオフ角度θを制御するもので，図１〜図３に示す実施形態では，このコーン５０を相対的に細径に形成された一端の細径側端部と，前記一端に対して大径に形成された他端の大径側端部とを備えた，ここでは，略裁頭円錐状の筒状体として形成している。
【００７３】
従来技術として説明した前述のダウンライト（図７参照）にあっては，光源で発生した光の反射角等の制御は反射体のみで行うように構成しており，従って，ダウンライトのカットオフ角度θを変更しようとすれば，形状やサイズ等の異なる反射体を備える別個のダウンライトへの交換が必要であったが，本発明のダウンライト１にあっては，基本構成ユニット２０に設けた反射体２１とは別にコーン５０を設け，このコーン５０として全長の異なる複数種類のコーン５０の中から選択されたいずれか１のコーンを前記基本構成ユニット２０と組合せて使用することで，反射体２１の変更を伴わずにカットオフ角度θを変更することができるように構成した。
【００７４】
このコーン５０の細径側の一端は，前述のように端部周縁を僅かに外周方向に曲折して形成された折曲部５１が形成されていると共に，他端側の大径側の端部は，その端縁を外周側に曲折して，後述する取付具６に形成された段部６３に係止可能に構成されている。
【００７５】
好ましくは，この大径側端部は，図４〜図６に示すようにその周縁部を外周方向にＲを持たせて，略９０°曲折してダウンライト１の中心線方向に対して直交方向を成す外フランジ面５２を設けることが好ましく，このような外フランジ面５２を形成することにより，光源８からの光がコーン５０の端縁で反射せず，このような光が視界に入ることにより感じる不快な眩しさを低減できる。
【００７６】
図４〜図６の実施形態にあっては，前述のように外周方向に曲折したコーンの周縁部を更に本体部分と平行を成す方向（図中上方）に曲折して断面コ字状に形成し，図中上向きを成す端部が取付具６に形成された段部６３に係止されるように構成した。
【００７７】
このコーン５０の内周面は，例えばこれをクロムメッキ等によって銀色の鏡面に仕上げることにより前述のレンズ４０を通過した光をそのまま反射するようにすることもできるが，例えばシャンパンゴールド（透明な暗黄色）等の着色がされた鏡面とすることにより，レンズを通過した光を内周面に着色した色に対応して着色して反射するようにしても良く，例えば前述のシャンパンコールド色とした場合には，ダウンライト１によって照射される光を暖かみのある黄色に変化させることができる。
【００７８】
さらにはコーン５０内周面を黒色に着色してレンズ４０を通過した光のうちコーン５０内周面に照射された光を吸収するように構成しても良く，このように内周面に対する仕上げの状態が異なるコーン５０を準備すると共に，このうちから選択されたいずれかのコーンを取り付けることで，ダウンライト１より照射される光に各種の変化を与えることができるように構成しても良い。
【００７９】
コーン５０全長の選択は，このダウンライト１に与えるカットオフ角度θに対応して行い，コーン５０の両端における開口径が共通する場合，コーン５０の全長が長くなるに従いカットオフ角度θが増大し（照射範囲が狭くなる），コーン５０の全長が短くなるに従いカットオフ角度θが減少する（照射範囲が広くなる）（図４〜図６参照）。
【００８０】
そこで，本発明のダウンライトにあっては，図１及び図３，又は図４〜図６に示すように，細径側端部及び大径側端部における開口径がいずれも同一で，全長が異なる複数種類のコーン５０の中から，いずれか１のコーン５０を選択して取り付けることにより，前述の基本構成ユニット２０を共通とし，かつ，ベースアダプタ３１や後述の取付具６を共通とし，従って天井に形成する取付孔７の径についても共通として，コーン５０の選択のみで本発明のダウンライト１のカットオフ角度θを変更することができるように形成した。
【００８１】
図１及び図３に示す実施形態では，長短二種類の長さを有するコーン５０を準備し，いずれの長さのコーン５０を選択するかによってカットオフ角度を３０°（図１，２）又は４０°（図３）に設定可能とした例であり，また，図４〜図６に示す実施形態では，長さの異なる３種類のコーン５０を準備すると共に，このうちのいずれのコーン５０を選択するかにより，カットオフ角度を３０°（図４），４０°（図５）又は５０°（図６）のいずれかに設定可能とした例である。
【００８２】
なお，アダプタ３０に取り付けるコーン５０の長さに拘わらず，アダプタ３０の基本構成ユニット２０に対する連結側とは反対側の端部より突出するコーン５０の長さが常に一定となるように，アダプタ３０はその全長を可変に構成されており，本実施形態にあっては，このようなアダプタ３０をベースアダプタ３１と延長アダプタ３２によって構成すると共に，前記ベースアダプタ３１に対する延長アダプタ３２の取付の有無，又は取付個数によってアダプタ３０の全長を可変とした。        
【００８３】
図示の実施形態にあっては，選択可能なコーン５０のうち，最も全長が短いコーンを取り付けた場合におけるコーン５０の大径側端部とベースアダプタ３１の端部（基本構成ユニット２０との連結側とは反対側の端部）間の距離を基準とし，これに対して全長の長いコーン５０を取り付けた場合においても両者間の距離が一定となるように，選択するコーン５０の長さに対応して前述のベースアダプタ３１に延長アダプタ３２を連結し，さらに必要な場合には延長アダプタ３２に更に別の延長アダプタ３２を連結し（図６参照），コーン５０の大径側端部と前記アダプタ端部間の距離が常に一定となるように調整可能に構成した。
【００８４】
取付具
以上のように，基本構成ユニット２０にアダプタ３０を介してコーン５０及びレンズ４０，必要に応じてフィルタ，ルーバ等の交換部品を取り付けることにより構成されたダウンライト本体２は，天井等に形成された取付孔７内に取付具６を介して固定される。
【００８５】
この取付具６は，図２に示すように両端を開口する円筒状の本体６１と，この本体６１の一端側における開口縁に形成された外向きフランジ状の枠体６２を備え，この取付具６の前記本体６１部分を，前記枠体６２の形成側とは反対側の端部を先端側として天井等に形成した取付孔７内に挿入して，後端側に設けた前記枠体６２が開孔縁と接触する位置迄挿入し，この状態において取付具６を取付孔７内に固定することができるように構成されている。
【００８６】
このように，取付孔７内に取付具６を固定可能とするために，前記取付具６には，前記枠体６２との間で天井板を挟持する挟持体６４を設けることができる（図４参照）。
【００８７】
この挟持体６４は，図４に示す実施形態にあっては取付具６の外周より突出した金属板等で構成したもので，取付具６の外周に，円周方向に多数の溝を形成して取付具の外周を図４に示すように断面鋸波状とし，この溝のいずれかに前記挟持体６４の一旦（図中上端）を係止すると共に，この挟持体６４の中間部に形成した螺子孔に，取付具６の内周側より外周側に向かって突出させたボルト６５の先端側を螺合して，このボルト６５の締め付けにより，前記挟持体６４の傾斜角度を変化させて挟持体６４の他端（図中における下端）と前記枠体６２との間隔を調整することで，枠体６２と板バネ６４の下端間において天井板を挟持可能とした。
【００８８】
なお，天井等に形成した取付孔７内に前記取付具６を固定する構成は，図示の実施形態に限定されず各種の構成を採用することが可能であり，例えば取付具６を直接取付孔７内にネジ止め等して取り付けても良い。
【００８９】
この取付具６の前記枠体６２を備えた側の端部内周は，前述したコーン５０の大径側端部に形成した折曲げ部分を係止する段部６３が設けられており，取付具６の枠体６２形成側の端部より取付具６の本体６１内にダウンライト本体２を挿入すると，コーン５０の大径側端部に設けた前述の曲折部が前記段部６３に係止されて，ダウンライト本体２の取付具６内に対する挿入位置が決定されるように構成されている。
【００９０】
この取付具６の内周には，前述の位置までダウンライト本体２を取付具６内に挿入したときに，前述のアダプタ３０の基本構成ユニット２０に対する取り付け側とは反対側の端部が配置される位置で，内周方向に突出する係止部６７が設けられており，この係止部６７によって，取付具６内に挿入されたダウンライト本体２が取付具６内の所定の位置に係止されるように構成されている。
【００９１】
図示の実施形態にあっては，前記枠体６２の形成側における端部から他端側に向かって内壁に沿って配置された板バネ６６を設け，この板バネ６６の図中上端部分を内周方向に膨出するように湾曲させて，この湾曲部分を前記アダプタ３０端部の係止部６７とした。
【００９２】
なお，このような係止部の構成は図示の実施形態に限定されず，前述のアダプタ３０の端部を係止可能な構成であれば他の構成を採用しても良い。
【００９３】
作用等
以上のように構成された本発明のダウンライト１において，光の拡散や集束の状態，光色，その他光に対して付与する作用等に応じてレンズ４０又は該レンズ４０に代え，又はレンズ４０と共にフィルタやルーバを選択して前記ベースアダプタ３１に取り付けると共に，所望のカットオフ角度θに応じてコーン５０の長さを，光に対して行う色付け等に応じてコーン５０内周面の色彩を選択して，選択したコーン５０を前記ベースアダプタ３１に取り付ける。
【００９４】
コーン５０の取り付けに際し，選択したコーン５０の長さとの関係で必要な場合には，前記ベースアダプタ３１に予め延長アダプタ３２を取り付けておき，このようにしてレンズ４０やフィルタ，ルーバ，コーン５０等が取り付けられたベースアダプタ３１を前記基本構成ユニット２０に取り付けることにより，所望のカットオフ角度θで，所望の色に着色等された光を照射するダウンライト本体２が完成する。
【００９５】
従って，例えば予めダウンライト本体２の基本構成ユニット２０を製造しておくとともに，これと組み合わせるレンズ４０，フィルタ，ルーバ，及びコーン５０等の選択部品を複数種類準備しておくことで，例えば出荷時等において，要求されるダウンライト１の機能等に基づいて基本構成ユニット２０に対応する交換部品を取り付けるだけで，容易に要求される特性等を備えたダウンライト１を得ることができる。
【００９６】
前述のように，カットオフ角度θ等の相違によって選択されるコーン５０は，異なる種類のコーン５０間においても両端の径が共通であり，長さや色のみが異なるものとして構成していることから，いずれのコーン５０を選択して取り付けた場合であっても共通のベースアダプタ３１を使用して前述の基本構成ユニット２０に取り付けることが可能であると共に，いずれのコーン５０を選択して組み立てた場合であっても，得られたダウンライト本体２の下端部の径が共通のものとなる。      
【００９７】
そのため，選択するコーン５０の種類に拘わらず，このようにして形成されたダウンライト本体２を天井に形成された取付孔７内に係止するための前述の取付具６についても共通化することが可能である。
【００９８】
また，前述の取付具６の共通化が可能となる結果，天井に形成する取付孔７のサイズについても共通化が可能であり，カットオフ角度θが相違するダウンライト相互間であっても天井等に形成する取付孔７のサイズを変更する必要がない。    
【００９９】
そして，前述のように構成されたダウンライト本体２を，基本構成ユニット２０側を先端側として前記取付具６の本体６１内に挿入し，枠体６２の形成側において取付具６の端部内周縁に形成された段部６３に，コーン５０の大径部外周縁が係止される迄押し込むと，取付具６の内周に設けられた板バネ等によって形成された前述の係止部６７は，挿入時に基本構成ユニット２０のフレーム２３等と接触して外周方向に押圧されてダウンライト本体２の通過を許容すると共に，コーン５０の大径側端部の外周縁が取付具６に設けた段部６３に係止される位置迄挿入されると，前述のアダプタ３０の端部（アダプタ３０がベースアダプタ３１のみで構成されている場合にはベースアダプタ３１の端部，延長アダプタ３２を備える場合には延長アダプタ３２の端部）が前記係止部６７を通過してその上方に位置される。    
【０１００】
このアダプタ３０端部の通過により，アダプタ３０の外周によって外周方向に押圧されていた係止部６７に対する押圧力が解除されて係止部６７が取付具６の内周側に復帰して，前記アダプタ３０の端部を係止する。
【０１０１】
アダプタ３０は，前述したように延長アダプタ３２の着脱により，又は延長アダプタ３２の取り付け個数によって全長が可変に形成されており，アダプタ３０の端部からのコーン５０の突出長さを一定とすることができることから，選択したコーン５０の長さに拘わらず，共通の取付具６を使用した場合であっても，前記係止部６７によってアダプタ３０の端部が確実に係止される。
【０１０２】
このようにして，ダウンライト本体２は取付具内の所定の位置に係止されて天井に形成された取付孔７内に固定され，天井等に対してダウンライト１の取り付けが完了する。
【図面の簡単な説明】
【０１０３】
【図１】本発明の一実施形態を示すダウンライトの断面図。
【図２】図１のダウンライトの分解状態を示す断面図。
【図３】長さの異なるコーンの取付例を示すアダプタ及びコーンの断面図。
【図４】本発明の別の実施形態を示すダウンライト（カットオフ角度３０°）の断面図。
【図５】長さの異なるコーンの取付例を示すダウンライト（カットオフ角度４０°）の断面図。
【図６】長さの異なるコーンの取付例を示すダウンライト（カットオフ角度５０°）の断面図。
【図７】反射体収容部２３３とベースアダプタ３１間の連結構造の説明図であり，（Ａ）は係止前の状態，（Ｂ）は係止状態，（Ｃ）は（Ｂ）のc-c線断面図である。
【図８】従来のダウンライトを示す要部断面図。
【符号の説明】
【０１０４】
１  ダウンライト
２  ダウンライト本体
６  取付具
６１  本体
６２  枠体
６３  段部
６４  挟持体
６５  ボルト
６６  板バネ
６７  係止部
７  取付孔
８  光源（ランプ）
８１  発光部
２０  基本構成ユニット
２１  反射体
２１ａ  ランプ挿入口
２２  ソケット
２３  フレーム
２３１  ソケット収容部
２３１ａ  係止具
２３１ｂ  空冷フィン
２３２  リブ状部
２３３  反射体収容部
２３３ａ  反射体挿入孔
２４  防眩キャップ
２５  支持棒
２６  板バネ
２６ａ  係止爪
３０  アダプタ
３１  ベースアダプタ
３１ａ  吸気ダクト
３１１  底縁
３１２  凹部
３２  延長アダプタ
３２ａ  係合片
３３  係止溝
３４  段部
３５  押え板
３５’  係止金具
３６  板バネ
３７  （コーン）取付部
３８  ボルト
３９  開孔
４０  レンズ
４２  凸条
４４  係止部材（反射体収容部２３３側）
４４ａ  係止片
４５  係止部材（アダプタ３０側）
４５ａ  舌片
４６  凸部
５０  コーン
５１  折曲部
５２  外フランジ面
【図１】
2008147044.tif 000003
【図２】
2008147044.tif 000004
【図３】
2008147044.tif 000005
【図４】
2008147044.tif 000006
【図５】
2008147044.tif 000007
【図６】
2008147044.tif 000008
【図７】
2008147044.tif 000009
【図８】
2008147044.tif 000010